(57)【要約】【課題】光軸の光軸調節を行っても配光パターンが形崩れせずに適切な形状に形成される車両用灯具の提供。【解決手段】ランプボディ６及び前面カバー７を有するランプボディユニット２と、ランプボディユニット２の内側に配置される、光学部材４を備えた光源ユニット３と、を有する車両用灯具１において、ランプボディユニット２に設けられた一対の支持溝（１６，１７）と、光源ユニット３の左右両端部にそれぞれ設けられ、一対の支持溝（１６，１７）にそれぞれ挿入されてランプボディユニット２に回動可能に支持される一対の回動軸（１２，１３）と、回動軸（１２，１３）を挿入された支持溝（１６，１７）の少なくとも一部を塞ぐ閉塞部材５と、を設けた。【選択図】図２
2015076267.tif 000002
【特許請求の範囲】
【請求項１】
ランプボディ及びランプボディに取り付けられる前面カバーを有するランプボディユニットと、前記ランプボディユニットの内側に配置される、光学部材及び光源を備えた光源ユニットと、を有する車両用灯具において、
前記ランプボディユニットに設けられた一対の支持溝と、
前記光源ユニットの左右両端部にそれぞれ設けられ、一対の前記支持溝にそれぞれ挿入されて前記ランプボディユニットに回動可能に支持される一対の回動軸と、
前記回動軸を挿入された前記支持溝の少なくとも一部を塞ぐ閉塞部材と、
を有することを特徴とする車両用灯具。
【請求項２】
前記閉塞部材は、エクステンション部材であり、前記エクステンション部材は、前記光源ユニットの構成部材のうち、前記光学部材から光が出射される発光領域を除く非発光領域の少なくとも一部を車両用灯具の前方から隠蔽する位置に配置された状態で前記ランプボディユニットに締付固定機構によって固定されたことを特徴とする、請求項１に記載の車両用灯具。
【請求項３】
前記締付固定機構は、前記ランプボディユニットに形成されたねじ孔に前記エクステンション部材をねじ止めし、
前記支持溝及び前記ねじ孔が、共にほぼ同じ方向に開口するようにランプボディユニットに形成されたことを特徴とする、請求項２に記載の車両用灯具。
【請求項４】
前記光源ユニットは、前記ランプボディユニットに対して前記光源ユニットを回動させる光軸調整機構を光源ユニットの左右方向の中央位置またはその近傍に有することを特徴とする、請求項１から３のうちいずれか記載の車両用灯具。
【請求項５】
前記光源は、発光素子を備えた発光ユニットであり、
前記発光ユニットは、投影レンズと放熱部材を有する投射型の光源ユニットであることを特徴とする、請求項１または２に記載の車両用灯具。
【発明の詳細な説明】
【技術分野】
【０００１】
光軸の傾動機構及びエクステンション部材のランプボディユニットへの取付機構を簡素化した車両用灯具の発明。
【背景技術】
【０００２】
特許文献１には、レンズとハウジング（ランプボディ）の内側に光源となるバルブと、光軸調節の際に傾動可能に構成されたリフレクター（光学部材）とを配置した車両用前照灯が図１に記載され、特許文献１には、レンズとケース（ランプボディ）の内側に傾動可能なリフレクターとカバー部材（エクステンション部材）を設けた前照灯装置が図１１に記載されている。
【先行技術文献】
【特許文献】
【０００３】
【特許文献１】特開２０１２−１８１９８０号公報
【特許文献２】特開２０００−３２２９２３号公報
【発明の概要】
【発明が解決しようとする課題】
【０００４】
特許文献１の車両用前照灯においては、光軸調節時に、ハウジングに固定されたバルブに対してリフレクターのみが傾動するため、配光パターンが形崩れを起こして適切な形状に形成されない問題がある。
【０００５】
一方、特許文献２の前照灯装置においては、リフレクターの傾動機構とカバー部材をケースとレンズの内側にそれぞれ別々に取り付けてあるため、作業工数と部品点数が増加する点で問題がある。
【０００６】
本願発明は、上記課題に鑑みて、光軸調節を行っても配光パターンが形崩れせずに適切な形状に形成される車両用灯具を提供するものである。
【課題を解決するための手段】
【０００７】
前記課題を解決するために、請求項１の車両用灯具は、ランプボディ及びランプボディに取り付けられる前面カバーを有するランプボディユニットと、前記ランプボディユニットの内側に配置される、光学部材及び光源を備えた光源ユニットと、を有する車両用灯具において、前記ランプボディユニットに設けられた一対の支持溝と、前記光源ユニットの左右両端部にそれぞれ設けられ、一対の前記支持溝にそれぞれ挿入されて前記ランプボディユニットに回動可能に支持される一対の回動軸と、前記回動軸を挿入された前記支持溝の少なくとも一部を塞ぐ閉塞部材と、を有するようにした。
【０００８】
（作用）ランプボディユニットの支持溝に支持された光源ユニットは、一対の支持軸を中心とし、全体としてランプボディユニットに対して回動し、光源ユニットの光学部材及び光源もまた、一体となってランプボディユニットに対して回動する。
【０００９】
請求項２は、請求項１の車両用灯具であって、前記閉塞部材は、エクステンション部材であり、前記エクステンション部材は、前記光源ユニットの構成部材のうち、前記光学部材から光が出射される発光領域を除く非発光領域の少なくとも一部を車両用灯具の前方から隠蔽する位置に配置された状態で前記ランプボディユニットに締付固定機構によって固定されるようにした。
【００１０】
（作用）エクステンション部材をランプボディユニットに締め付け固定すると、同時に光学部材を有する光源ユニットがランプボディユニットの支持溝に位置決めされる。言い換えると、光源ユニットとエクステンション部材がランプボディユニットに共締めされる。また、エクステンション部材は、締め付け固定機構によってランプボディユニットに締め付けられるため、特許文献１の車両用前照灯のように、はめ込み固定等の手段で固定される場合に比べて振動時に外れにくい。
【００１１】
請求項３は、請求項２に記載の車両用灯具であって前記締付固定機構は、前記ランプボディユニットに形成されたねじ孔に前記エクステンション部材をねじ止めし、前記支持溝及び前記ねじ孔が、共にほぼ同じ方向に開口するようにランプボディユニットに形成されるようにした。
【００１２】
（作用）ランプボディユニットの支持溝への光源ユニットの取付作業と、エクステンション部材をランプボディユニットのねじ孔にねじで固定する作業をほぼ同じ方向から一度に行うことが出来る。
【００１３】
請求項４は、請求項１から３のうちいずれかに記載の車両用灯具であって、前記光源ユニットが、前記ランプボディユニットに対して前記光源ユニットを回動させる光軸調整機構を光源ユニットの左右方向の中央位置またはその近傍に有するようにした。
【００１４】
（作用）ランプボディユニットに対する光源ユニットの向きが光軸調整機構によって変化する。
【００１５】
請求項５は、請求項１から４のうちいずれか記載の車両用灯具であって、前記光源を発光素子を備えた発光ユニットとし、前記発光ユニットは、投影レンズと放熱部材を有する投射型の光源ユニットとした。
【００１６】
（作用）重量が重い投射型の光源ユニットとエクステンション部材がランプボディユニットに共締めされる。また、エクステンション部材は、締め付け固定機構によってランプボディユニットに締め付けられるため、重量が重い投射型の光源ユニットが振動を受けても、エクステンション部材がランプボディユニットから外れにくい。
【発明の効果】
【００１７】
請求項１の車両用灯具によれば、光軸調節時に光学部材と光源がランプボディに対して一体となって傾動するため、配光パターンの形状は、光軸を調節しても形崩れせずに適切な形状に維持される。
【００１８】
請求項２の車両用灯具によれば、光軸の傾動機構及びエクステンション部材のランプボディユニットへの取付機構が簡素になるため、作業工数と部品点数が減少する。また、光源ユニットがランプボディユニットの支持溝から脱落しにくくなる。
【００１９】
請求項３の車両用灯具によれば、特許文献２の車両用前照灯に比べてランプボディユニットへの光源ユニットとエクステンション部材の組付作業工数と固定用ねじ等の部品点数が減り、組付作業が容易になる。
【００２０】
請求項４の車両用灯具によれば、光軸調節機構によって光軸が所定の方向に向くように調節される。
【００２１】
請求項５の車両用灯具によれば、重量が重い投射型光源ユニットがランプボディユニットの支持溝から脱落しにくくなる。
【図面の簡単な説明】
【００２２】
【図１】第１実施例の車両用灯具の正面図。
【図２】（ａ）図１のＩ−Ｉ水平断面図。（ｂ）回動軸と支持溝を示す図２のＩＩ-ＩＩ拡大断面図。
【図３】図１のＩＩＩ-ＩＩＩ垂直断面図。
【図４】第２実施例の車両用灯具の垂直断面図
【図５】（ａ）図４のＩＶ-ＩＶ断面図。（ｂ）図５（ａ）のＶ−Ｖ断面図。
【発明を実施するための形態】
【００２３】
第１及び第２実施例の車両用灯具は、スクーターを含む自動二輪車、３輪バギーを含む自動三輪車等の鞍乗型車両に好適な灯具である。第１実施例の車両用灯具１を図１〜図３によって説明する。尚、図１から図５においては、前面カバー側を車両の前方（符号Ｆｒ方向）、ランプボディ側を車両の後方（符号Ｒｅ方向）とした上で、更に各図の符号が表す車両の方向をそれぞれ（Ｕｐ：Ｌｏ：Ｒｉ：Ｌｅ＝上方：下方：右方：左方）として説明する。
【００２４】
車両用灯具１は、ランプボディユニット２と、リフレクター４を備えた光源ユニット３と、閉塞部材であるエクステンション部材５を有する。
【００２５】
ランプボディユニット２は、樹脂製のランプボディ６と、透明または半透明の樹脂または硝子などで形成された前面カバー７を有する。前面カバー７は、ランプボディ６の前方に一体に取り付けられ、前面カバー７とランプボディの内側には、灯室Ｓが形成される。
【００２６】
光源ユニット３は、光学部材となるリフレクター４と、光源となるバルブ８と、ゴムカバー９を有する。リフレクター４は、回転放物面形状に形成されると共に前面に反射面４ａを有する。バルブ８は、リフレクター４の取付孔４ｂを介してリフレクター４の焦点位置又はその近傍に配置され、取付孔４ｂに固定され、リフレクター４は、反射面４ａによってバルブ８からの出射光を灯具前方に反射する。
【００２７】
光学部材は、例えば、前記リフレクター４，後述する第２実施例のリフレクター３２または投影レンズ５２に該当する。
【００２８】
リフレクター４の左右両端には、左右に伸びて後方に屈曲する腕部（１０，１１）と、腕部（１０，１１）から左右に伸びる円柱または円筒形状の回動軸（１２，１３）が一体に設けられる。
【００２９】
また、ランプボディ６に形成された左右の突端部（１４，１５）には、図２（ａ）（ｂ）に示すように前方に開口し、かつ後方に有底となる支持溝（１６，１７）と、前方に開口するねじ孔（１８、１９）がそれぞれ設けられる。また、エクステンション部材５は、樹脂で形成され、かつ左右に伸びる後端部（５ａ，５ｂ）を有し、後端部（５ａ，５ｂ）は、ねじ孔（１８，１９）に対応する位置にねじの挿通孔（２０，２１）を有する。
【００３０】
リフレクター４の回動軸（１２，１３）は、図２（ｂ）に示すように前方から支持溝（１６，１７）に挿入される。エクステンション部材５の後端部（５ａ、５ｂ）は、回動軸（１２，１３）を挿入した支持溝（１６，１７）を前方から閉塞するように配置される。エクステンション部材５の後端部（５ａ、５ｂ）は、挿通孔（２０，２１）及びねじ孔（１８，１９）に挿入されたねじ（２２，２３）によって前方からランプボディ６の左右の突端部（１４，１５）にそれぞれ固定されることにより、回動軸（１２，１３）を前方に抜け止めする。エクステンション部材５の挿通孔（２０，２１）、ランプボディ６のねじ孔（１８，１９）及びねじ（２２，２３）は、ランプボディ６にエクステンション部材５を締め付ける締付固定機構５３を形成する。リフレクター４を有する光源ユニット３は、回動軸（１２，１３）を介してランプボディ６の支持溝（１６，１７）に回動可能に保持されることにより、ランプボディユニット２に対して上下に揺動する。
【００３１】
エクステンション部材５の前端部（５ｃ、５ｄ）は、バルブ８の光を前方の前面カバー７に反射して発光領域を形成するリフレクター４の反射面４ａを除く、光源ユニット３の光学的に作用しない非発光領域の前方、即ち、リフレクター４の腕部（１０，１１）等の非発光領域４ｃの前方に配置されて、該非発光領域の少なくとも一部を前方から覆い隠す。
【００３２】
また、リフレクター４に固定されたバルブ８は、ゴムカバー９を介してランプボディ６の後方に開放する取付部６ａに固定される。ゴムカバー９は、ゴム等の弾性部材や可撓性を有する樹脂等で形成され、かつ蛇腹部９ａを有する。
【００３３】
また、図３に示すように光源ユニット３には、バルブ８に、バルブ８の下方に位置し、かつ雌ねじ孔２４ａを有するねじ取付部２４が設けられ、ランプボディ６の後部６ｃには、取付部６ａの近傍のねじ取付部２４に対応する位置にねじ２５が設けられる。取付部２４とねじ２５は、共に光源ユニット３の左右方向の中央位置またはその近傍に設けられ、雌ねじ孔２４ａは、前方に向けて斜め上方に形成される。ねじ２５は、ランプボディ６の後部６ｃに形成された孔６ｂに抜け止めされ、回動可能な状態に保持され、かつ先端をねじ取付部２４の雌ねじ孔２４ａにネジ止めされる。ねじ取付部２４及びねじ２５は、光軸調節機構２６を構成する。
【００３４】
尚、図３の第１実施例においては、光軸調節機構２６の代わりに、または光軸調節機構２６と共にリフレクター４に、光軸調節機構２６’を設けても良い。光軸調節機構２６’は、リフレクター４から後方に延出形成され、かつ上下に伸びる雌ねじ孔２４ａ’を有するねじ取付部２４’と、ランプボディ６の底部６ｄの孔６ｅに取り付けられたねじ２５’によって構成される。取付部２４’とねじ２５’は、共に光源ユニット３の左右方向の中央位置またはその近傍に設けられ、ねじ２５’は、孔６ｅの下から挿通されて、かつ下方に落下しないように抜け止めされる。また、ねじ２５’は、孔６ｅに回動可能な状態に保持され、かつ先端をねじ取付部２４’の雌ねじ孔２４ａ’にネジ止めされる。
【００３５】
次に光源ユニット３の光軸調節を図２と図３によって説明する。光源ユニット３は、ゴムカバー９によってバルブ８をランプボディ６に固定され、かつ支持溝（１６，１７）によって回動軸（１２，１３）を回動可能に支持されている。図３に示す光軸調節機構（２６、２６’）のねじ（２５、２５‘）の双方またはいずれか一方を回転させると、ねじ取付部（２４、２４’）は、ねじ２５の軸線（Ｌ２、Ｌ２’）方向に沿って進退する（図３の符号Ｄ１またはＤ１’方向を参照）。その際、光源ユニット３は、バルブ８を保持するゴムカバー９の蛇腹部９ａが伸縮することにより、ランプボディユニット２に対し、図２（ａ）（ｂ）に示す回動軸１２（及び１３）の共通する中心軸線Ｏ１周りに揺動する（図２（ｂ）の符号Ｄ２方向を参照）。その結果、バルブ８の光軸Ｌ１が中心軸線Ｏ１周りに揺動し（図３の符号Ｄ３方向を参照）、光軸Ｌ１の向きが上下に調節される。
【００３６】
第１実施例の車両用灯具１によれば、光源ユニット３をエクステンション部材５と共にランプボディ６に共締するため、エクステンション部材５と別々にランプボディ６に取り付けた場合に比べて作業工数と部品点数が少なくなる。更に、光源ユニット３の回動軸（１２，１３）を支持溝（１６，１７）に挿入する作業と、ねじ（２２，２３）によってエクステンション部材５をねじ孔（１８，１９）にねじ止めする作業が、同じ前方から行えるため、ランプボディ６への光源ユニット３及びエクステンション部材５の組付作業が容易になる。
【００３７】
次に第２実施例の車両用灯具２８を図４と図５によって説明する。図４は、車両用灯具２８を光源ユニット３０の左右方向の中心位置で切断した垂直断面図である。車両用灯具２８は、ランプボディユニット２９と、光学部材であるリフレクター３２を備えた投射型の光源ユニット３０と、図５（ｂ）に示す、樹脂製のエクステンション部材３１（エクステンション部材）を有する。
【００３８】
図４に示すように、ランプボディユニット２９は、樹脂製のランプボディ３３と、透明または半透明の樹脂または硝子などで形成された前面カバー３４を有する。前面カバー３４は、ランプボディ３３の前方に一体に取り付けられ、これらの内側には、灯室Ｓが形成される。
【００３９】
図４に示す光源ユニット３０は、リフレクター３２、光源となる発光素子５５を備えたＬＥＤユニット３５、放熱部材３６及び光学部材である投影レンズ５２とを有する。リフレクター３２は、回転放物面形状を半分にした形状を有すると共に前面に反射面３２ａを有する。リフレクター３２及びＬＥＤユニット３５は、金属製の放熱部材３６の上部３６ａに固定され、リフレクター３２の反射面３２ａは、ＬＥＤユニット３５の発光素子５５を取り囲むように配置される。投影レンズ５２は、放熱部材３６の前端部に形成された上部３６ａより低い段差部３６ｂの上面に固定される。発光素子５５から出射した光は、リフレクター３２の反射面３２ａによって投影レンズ５２に入射される。
【００４０】
図５に示すように放熱部材３６の左右両端には、左右に伸びる円柱または円筒形状の回動軸（３７，３８）が一体に設けられる。また、ランプボディ３３の左右両端部（３９，４０）の内側には、図５（ａ）（ｂ）に示すように内向きの厚肉部（４１，４２）が設けられ、厚肉部（４１，４２）には、上方に開口する有底の支持溝（４３，４４）と、上方に開口するねじ孔（４５、４６）がそれぞれ設けられる。
【００４１】
尚、投射型の光源ユニット３０は、投影レンズ５２の重量等によって重心が前後する。従って、回動軸（３７，３８）は、これらの前後位置が光源ユニット３０全体の重心位置に出来るだけ近づくよう、放熱部材３６に形成されることが望ましい。
【００４２】
放熱部材３６の回動軸（３７，３８）は、図５（ａ）（ｂ）に示すように上方から支持溝（４３，４４）に挿入される。エクステンション部材３１は、一対のねじの挿通孔（３１ａ，３１ａ）に挿通させたねじ（４７，４７）を図５（ａ）のねじ孔（４５、４６）にねじ止めすることにより、図５（ｂ）に示すように回動軸（３７，３８）を挿入した支持溝（４３，４４）を上方から閉塞しつつ、厚肉部（４１，４２）の上部に固定される。エクステンション部材３１の挿通孔（３１ａ，３１ａ）、放熱部材３６のねじ孔（４５，４６）及びねじ（４７，４７）は、放熱部材３６にエクステンション部材３１を締め付ける締付固定機構５４を形成する。
【００４３】
エクステンション部材３１は、ねじ（４７，４７）によってランプボディの左右の厚肉部（４１，４２）にそれぞれ固定されることにより、回動軸（３７，３８）を上方に抜け止めする。リフレクター３２を有する光源ユニット３０は、回動軸（３７，３８）を介してランプボディ３３の支持溝（４３，４４）に回動可能に保持されることにより、ランプボディユニット２９に対して上下に揺動する。エクステンション部材３１の一端は、発光領域を形成するリフレクター３２の反射面３２ａまたは投影レンズ５２を除く、光源ユニット３０の光学的に作用しない非発光領域、即ち、放熱部材３６等の非発光領域５６の少なくとも一部を前方から隠すように光源ユニット３０の前方に配置される。
【００４４】
また、図４に示すように光源ユニット３０には、放熱部材３６の底部３６ｃに開口し、かつ上下に伸びる雌ねじ孔４８が設けられ、ランプボディ３３の底部３３ａには、雌ねじ孔４８に対応する位置にねじ４９が設けられる。雌ねじ孔４８及びねじ４９は、図５に示すように放熱部材３６の左右方向の中央に位置する。ねじ４９は、ランプボディ３３の底部３３ａに形成された孔５０に落下しないように抜け止めされ、回動可能な状態に保持され、かつ先端を雌ねじ孔４８にねじ止めされる。雌ねじ孔４８及びねじ４９は、光軸調節機構５１を構成する。
【００４５】
次に光源ユニット３０の光軸調節を図４と図５によって説明する。図４に示す光軸調節機構５１のねじ４９を回転させると、放熱部材３６は、ねじ４９の軸線Ｌ４方向に沿って上下方向に進退する（図４の符号Ｄ４方向を参照）。その際、光源ユニット３０は、ランプボディユニット２９に対し、図５（ｂ）に示す回動軸３７（及び３８）の共通する中心軸線Ｏ２周りに揺動する（図４、図５（ｂ）の符号Ｄ５方向を参照）。その結果、光源ユニット３０の光軸Ｌ１’が中心軸線Ｏ２周りに揺動し（図４の符号Ｄ６方向を参照）、光軸Ｌ１’の向きが上下に調節される。
【００４６】
図１〜５に示す第１及び第２実施例の車両用灯具２８によれば、光軸調節時にランプボディユニット２９の中の光源ユニット３０のみが傾動するため、傾動機構のサイズが小さくなる。また、光源ユニット３０をエクステンション部材３１と共にランプボディ３３に共締するため、エクステンション部材３１と別々にランプボディ３３に取り付けた場合に比べて部品点数が少なくなる。更に、光源ユニット３０の回動軸（３７，３８）を支持溝（４３，４４）に挿入する作業と、ねじ（４７，４７）によってエクステンション部材３１をねじ孔（４５，４６）にねじ止めする作業が、同じ上方から行えるため、ランプボディ３３への光源ユニット３０及びエクステンション部材３１の組付作業が容易になる。
【００４７】
尚、第２実施例の光軸調節機構５１を構成する雌ねじ孔４８とねじ４９は、放熱部材３６の底部３６ｃに設けられているが、光軸調節機構５１は、放熱部材３６の後部３６ｄに設けられてもよい。具体的には、ランプボディ３３の後部３３ｂの左右方向の中央位置にねじ４９を落下しないようにかつ回動可能に取り付け、放熱部材３６の雌ねじ孔４８を後部３６ｄに向けて開口形成することにより、ねじ４９を雌ねじ孔４８にネジ止めしても良い。
【００４８】
尚、第１実施例の車両用灯具１においては、支持溝（１６，１７）をランプボディ６ではなく前面カバー７に設け、光源ユニット３を前面カバー７に回動自在に保持させても良いし、第２実施例の車両用灯具２８においては、支持溝（４３，４４）をランプボディ３３ではなく前面カバー３４に設け、光源ユニット３０を前面カバー３４に回動自在に保持させても良い。
【符号の説明】
【００４９】
１              車両用灯具
２              ランプボディユニット
３              光源ユニット
４              リフレクター（光学部材）
４ａ            反射面（発光領域）
４ｃ            非発光領域
５              エクステンション部材（閉塞部材）
６              ランプボディ
７              前面カバー
８              バルブ（光源）
１２，１３      回動軸
１６，１７      支持溝
１８，１９      ねじ孔
２６              光軸調節機構
２８              車両用灯具
２９              ランプボディユニット
３０              光源ユニット
３１              エクステンション部材（閉塞部材）
３２              リフレクター（光学部材）
３２ａ            反射面（発光領域）
３３              ランプボディ
３４              前面カバー
３５              ＬＥＤユニット（発光ユニット）
３６              放熱部材
３７，３８        回動軸
４３，４４        支持溝
４５，４６        ねじ孔
５１              光軸調節機構
５２              投影レンズ（発光領域を形成する光学部材）
５３，５４        締付固定機構
５５              発光素子（光源）
５６              非発光領域
【図１】
2015076267.tif 000003
【図２】
2015076267.tif 000004
【図３】
2015076267.tif 000005
【図４】
2015076267.tif 000006
【図５】
2015076267.tif 000007